(57)【特許請求の範囲】
【請求項１】
高階調値を表現する第１副画素、及び前記第１副画素に副画素境界線に沿って隣接して位置する低階調値を表現する第２副画素を含む画素が行方向及び列方向に配置された表示パネル、そして
前記表示パネルの上に位置し、レンズ軸を有するレンチキュラーレンズ
を含み、
前記レンズ軸は、前記レンチキュラーレンズの屈曲面と底面とが交差する線であり前記列方向に対して傾斜しており、前記副画素境界線は、前記第１副画素と前記第２副画素の境界に位置した仮想の線であり、前記レンズ軸と前記副画素境界線は互いに交差しており、
前記レンズ軸によって分けられる前記第１副画素の左右両方の部分の面積は実質的に同一であり、
前記レンズ軸によって分けられる前記第２副画素の左右両方の部分の面積は実質的に同一である、立体映像表示装置。
【請求項２】
前記レンズ軸は前記画素の対向している二つのコーナーを連結している、請求項１に記載の立体映像表示装置。
【請求項３】
平面図において、前記レンズ軸の傾きの絶対値は３乃至６である、請求項２に記載の立体映像表示装置。
【請求項４】
前記第１副画素の面積と前記第２副画素の面積との比は１：０.５乃至１：３である、請求項１〜３のいずれかに記載の立体映像表示装置。
【請求項５】
前記副画素境界線は屈曲線、曲線、直線あるいは階段型である、請求項１〜４のいずれかに記載の立体映像表示装置。
【請求項６】
前記表示パネルは、前記画素の上端部に位置する第１ブラックマトリックスと前記画素の下端部に位置する第２ブラックマトリックスをさらに含む、請求項１〜５のいずれかに記載の立体映像表示装置。
【請求項７】
前記第１ブラックマトリックス及び前記第２ブラックマトリックスは、前記レンズ軸に対して実質的に垂直に交差する、請求項６に記載の立体映像表示装置。
【請求項８】
前記第１副画素は第１スイッチング素子を含み、前記第１スイッチング素子は前記第１ブラックマトリックスと重複し、前記第２副画素は第２スイッチング素子を含み、前記第２スイッチング素子は前記第２ブラックマトリックスと重複する、請求項６に記載の立体映像表示装置。
【請求項９】
前記第１副画素は第１ストレージキャパシターを含み、前記第１ストレージキャパシターは前記第１ブラックマトリックスと重複し、前記第２副画素は第２ストレージキャパシターを含み、前記第２ストレージキャパシターは前記第２ブラックマトリックスと重複する、請求項８に記載の立体映像表示装置。
【請求項１０】
前記表示パネルは第１ゲート線、第２ゲート線、及びデータ線をさらに含み、前記第１スイッチング素子は前記第１ゲート線及び前記データ線に連結されており、前記第２スイッチング素子は前記第２ゲート線及び前記データ線に連結されている、請求項８又は９に記載の立体映像表示装置。
【請求項１１】
前記第１副画素は第１水平枝電極、及び第１垂直枝電極を含み、前記第２副画素は第２水平枝電極、及び第２垂直枝電極を含む、請求項１〜１０のいずれかに記載の立体映像表示装置。
【請求項１２】
前記第１副画素は第１右上枝電極、第１左上枝電極、第１左下枝電極、及び第１右下枝電極を含み、前記第２副画素は第２右上枝電極、第２左上枝電極、第２左下枝電極、及び第２右下枝電極を含む、請求項１１に記載の立体映像表示装置。
【請求項１３】
前記レンチキュラーレンズの幅は前記画素の幅とビューナンバー（ｖｉｅｗ  ｎｕｍｂｅｒ）の積と実質的に同一であり、前記ビューナンバーは前記レンチキュラーレンズによって覆われている画素の個数である、請求項１〜１２のいずれかに記載の立体映像表示装置。
【請求項１４】
前記レンチキュラーレンズの屈曲面は曲面と平面（ｆａｃｅｔｅｄ  ｓｕｒｆａｃｅ）を同時に含み、前記平面は、隣接する曲面を接続するように隣接する曲面と曲面との間に位置する、請求項１３に記載の立体映像表示装置。
【請求項１５】
前記レンチキュラーレンズの屈曲面の平面の数が画素の数と同一であり、各平面と各画素とが対応している場合、前記平面の個数は前記立体映像表示装置のビューナンバーと同一である、請求項１４に記載の立体映像表示装置。
【請求項１６】
高階調値を表現する第１副画素、及び前記第１副画素に副画素境界線に沿って隣接して位置する低階調値を表現する第２副画素を含む画素が行方向及び列方向に配置された表示パネル、そして
前記表示パネルの上に位置し、レンズ軸を有するレンチキュラーレンズ
を含み、
前記レンズ軸は、前記レンチキュラーレンズの屈曲面と底面とが交差する線であり前記列方向に対して傾斜しており、副画素境界線は前記第１副画素と前記第２副画素との境界に位置した仮想の線であり、前記副画素境界線の一部は前記レンズ軸と実質的に平行であり、
前記レンズ軸によって分けられる前記第１副画素の左右両方の部分の面積は実質的に同一であり、
前記レンズ軸によって分けられる前記第２副画素の左右両方の部分の面積は実質的に同一である、立体映像表示装置。
【請求項１７】
前記第２副画素は砂時計（ｈｏｕｒｇｌａｓｓ）形状である、請求項１６に記載の立体映像表示装置。
【請求項１８】
前記砂時計の下部と上部の長さ比はほぼ２：１である、請求項１７に記載の立体映像表示装置。
【請求項１９】
前記表示パネルは、前記画素の上端部または下端部に位置するブラックマトリックスをさらに含む、請求項１６〜１８のいずれかに記載の立体映像表示装置。
【請求項２０】
前記第１副画素は第１スイッチング素子を含み、前記第２副画素は第２スイッチング素子を含み、前記ブラックマトリックスは前記第１スイッチング素子及び前記第２スイッチング素子と重複する、請求項１９に記載の立体映像表示装置。
【請求項２１】
前記表示パネルはゲート線及びデータ線をさらに含み、前記第１スイッチング素子は前記ゲート線及び前記データ線に連結されており、前記第２スイッチング素子は前記ゲート線及び前記データ線に連結されている、請求項２０に記載の立体映像表示装置。
【請求項２２】
前記第１副画素は、前記第１スイッチング素子に連結されている第３スイッチング素子と前記第３スイッチング素子に連結されているダウンキャパシターとを含み、前記ダウンキャパシターの両端子は各々、前記第３スイッチング素子の制御電極及び出力電極に連結されている、請求項２１に記載の立体映像表示装置。
【請求項２３】
前記表示パネルはゲート線、第１データ線、及び第２データ線をさらに含み、前記第１スイッチング素子は前記ゲート線及び前記第１データ線に連結されており、前記第２スイッチング素子は前記ゲート線及び前記第２データ線に連結されている、請求項２０〜２２のいずれかに記載の立体映像表示装置。
【請求項２４】
前記第１副画素は第１水平枝電極及び第１垂直枝電極を含み、前記第２副画素は第２水平枝電極及び第２垂直枝電極を含む、請求項１６〜２３のいずれかに記載の立体映像表示装置。
【請求項２５】
前記第１副画素は、第１右上枝電極、第１左上枝電極、第１左下枝電極、及び第１右下枝電極を含み、前記第２副画素は、第２右上枝電極、第２左上枝電極、第２左下枝電極、及び第２右下枝電極を含む、請求項２４に記載の立体映像表示装置。
【発明の詳細な説明】
【技術分野】
【０００１】
立体映像表示装置が提供される。
【背景技術】
【０００２】
一般に、３次元映像表示技術においては、近距離で立体感を認識する最も大きな要因である両眼視差（ｂｉｎｏｃｕｌａｒ  ｐａｒａｌｌａｘ）を利用して物体の立体感を表現する。つまり、左側目（左眼）と右側の目（右眼）には各々互いに異なる２次元映像が映られ、左眼に映られる映像（以下、“左眼映像（ｌｅｆｔ  ｅｙｅ  ｉｍａｇｅ）”という）と右眼に映られる映像（以下、“右眼映像（ｒｉｇｈｔ  ｅｙｅ  ｉｍａｇｅ）”という）が脳に伝達されると、左眼映像と右眼映像は脳で融合して、奥行き知覚（ｄｅｐｔｈ  ｐｅｒｃｅｐｔｉｏｎ）を有する３次元映像に認識される。
【０００３】
立体映像表示装置は両眼視差を利用するものであって、シャッターガラス（ｓｈｕｔｔｅｒ  ｇｌａｓｓｅｓ）、偏光眼鏡（ｐｏｌａｒｉｚｅｄ  ｇｌａｓｓｅｓ）などの眼鏡を利用する眼鏡式（ｓｔｅｒｅｏｓｃｏｐｉｃ）方法、及び眼鏡を利用せずに表示装置にレンチキュラーレンズ（ｌｅｎｔｉｃｕｌａｒ  ｌｅｎｓ）、パララックスバリア（ｐａｒａｌｌａｘ  ｂａｒｒｉｅｒ）などを配置する非眼鏡式（ａｕｔｏｓｔｅｒｅｏｓｃｏｐｉｃ）方法がある。
【０００４】
レンチキュラーレンズ方式は、表示装置の上にレンチキュラーレンズが位置しており、表示装置から出力された映像がレンチキュラーレンズを通過しながら、左眼方向と右眼方向とに各々屈折され、左眼映像と右眼映像が各々左眼と右眼に映されることによって立体映像が表現される方法である。
【０００５】
レンチキュラーレンズ方式は、レンチキュラーレンズと観察者の目の相対的な位置によって画素の暗い部分が左眼または右眼に映されるが、この場合、縞模様形態のモアレ（ｍｏｉｒｅ）パターンが認識されて表示品質を低下させる恐れがある。
【発明の概要】
【発明が解決しようとする課題】
【０００６】
本発明による一実施例は、モアレパターンを減らすためのものである。
【０００７】
本発明による一実施例は、表示パネルの側面視認性を改善するためのものである。
【０００８】
本発明による一実施例は、立体映像表示装置の表示品質を改善するためのものである。
【０００９】
前記課題の以外にも、具体的に言及されていない他の課題を達成するために用いることができることができる。
【課題を解決するための手段】
【００１０】
本発明の一実施例に係る立体映像表示装置は、第１副画素、及び第２副画素を含む画素を含む表示パネル、そして前記表示パネルの上に位置し、レンズ軸を有するレンチキュラーレンズを含み、前記レンズ軸は前記レンチキュラーレンズの屈曲面と底面とが交差する線であり、副画素境界線は、前記第１副画素と前記第２副画素の境界に位置した仮想の線であり、前記レンズ軸と前記副画素境界線は互いに交差する。
【００１１】
前記第２副画素は、前記第１副画素に副画素境界線に沿って隣接して位置することができる。
【００１２】
前記レンズ軸によって分けられる前記第１副画素の左右両方の部分の面積は実質的に同一であることができる。前記レンズ軸によって分けられる前記第２副画素の左右両方の部分の面積は実質的に同一であることができる。
【００１３】
前記レンズ軸は、前記画素の対向している二つのコーナーを連結していることができる。平面図において、前記レンズ軸の傾きの絶対値は３乃至６であることができる。
【００１４】
前記第１副画素の面積と前記第２副画素の面積の比は１：０.５乃至１：３であることができる。
【００１５】
前記副画素境界線は曲線であることができる。前記副画素境界線は直線であることができる。前記副画素境界線は階段型であることができる。
【００１６】
前記表示パネルは、前記画素の上端部に位置する第１ブラックマトリックスと前記画素の下端部に位置する第２ブラックマトリックスをさらに含むことができる。
【００１７】
前記第１副画素は第１スイッチング素子を含むことができ、前記第１スイッチング素子は前記第１ブラックマトリックスと重複することができ、前記第２副画素は第２スイッチング素子を含むことができ、前記第２スイッチング素子は前記第２ブラックマトリックスと重複することができる。
【００１８】
前記第１副画素は第１ストレージキャパシターを含むことができ、前記第１ストレージキャパシターは前記第１ブラックマトリックスと重複することができ、前記第２副画素は第２ストレージキャパシターを含むことができ、前記第２ストレージキャパシターは前記第２ブラックマトリックスと重複することができる。
【００１９】
前記表示パネルは、第１ゲート線、第２ゲート線、及びデータ線をさらに含むことができ、前記第１スイッチング素子は前記第１ゲート線及び前記データ線に連結されていることができ、前記第２スイッチング素子は前記第２ゲート線及び前記データ線に連結されていることができる。
【００２０】
前記第１副画素は第１水平枝電極及び第１垂直枝電極を含むことができ、前記第２副画素は第２水平枝電極及び第２垂直枝電極を含むことができる。
【００２１】
前記第１副画素は、第１右上枝電極、第１左上枝電極、第１左下枝電極、及び第１右下枝電極を含むことができ、前記第  副画素は、第２右上枝電極、第２左上枝電極、第２左下枝電極、及び第２右下枝電極を含むことができる。
【００２２】
前記レンチキュラーレンズの幅は、前記画素の幅とビューナンバー（ｖｉｅｗ  ｎｕｍｂｅｒ）の積と実質的に同一であることができる。前記ビューナンバーは、前記レンチキュラーレンズによって覆われている画素の個数であることができる。
【００２３】
前記レンチキュラーレンズの屈曲面は曲面と平面（ｆａｃｅｔｅｄ  ｓｕｒｆａｃｅ）を同時に含むことができる。前記平面の個数は前記立体映像表示装置のビューナンバーと同一であることができる。
【００２４】
本発明の他の実施例に係る立体映像表示装置は、第１副画素及び第２副画素を含む画素を含む表示パネル、そして、前記表示パネルの上に位置し、レンズ軸を有するレンチキュラーレンズを含み、前記レンズ軸は、前記レンチキュラーレンズの屈曲面と底面とが交差する線であり、副画素境界線は前記第１副画素と前記第２副画素の境界に位置した仮想の線であり、前記副画素境界線の一部は前記レンズ軸と実質的に平行である。
【００２５】
前記第２副画素は砂時計（ｈｏｕｒ  ｇｌａｓｓ）形状であることができる。前記砂時計の下部と上部の長さ比はほぼ２：１であることができる。
【００２６】
前記表示パネルは、前記画素の上端部または下端部に位置するブラックマトリックスをさらに含むことができる。
【００２７】
前記第１副画素は第１スイッチング素子を含むことができ、前記第２副画素は第２スイッチング素子を含むことができ、前記ブラックマトリックスは前記第１スイッチング素子及び前記第２スイッチング素子と重複することができる。
【００２８】
前記表示パネルはゲート線及びデータ線をさらに含むことができ、前記第１スイッチング素子は前記ゲート線及び前記データ線に連結されていることができ、前記第２スイッチング素子は前記ゲート線及び前記データ線に連結していることができる。
【００２９】
前記第１副画素は、前記第１スイッチング素子に連結されている第３スイッチング素子と、前記第３スイッチング素子に連結されているダウンキャパシターとを含むことができ、前記ダウンキャパシターの両端子は、各々、前記第３スイッチング素子の制御電極及び出力電極に連結されていることができる。
【００３０】
前記表示パネルは、ゲート線、第１データ線、及び第２データ線をさらに含むことができ、前記第１スイッチング素子は前記ゲート線及び前記第１データ線に連結されていることができ、前記第２スイッチング素子は前記ゲート線及び前記第２データ線に連結されていることができる。
【発明の効果】
【００３１】
本発明による一実施例はモアレパターンを減らすことができ、表示パネルの側面視認性が改善され、立体映像表示装置の表示品質が改善されることができる。
【図面の簡単な説明】
【００３２】
【図１】本発明の一実施例に係る立体映像表示装置を概略的に示した断面図である。
【図２】本発明の一実施例に係る立体映像表示装置を概略的に示した平面図である。
【図３】図２の立体映像表示装置の一つの画素（ＰＸ）を拡大して示した図である。
【図４】本発明の他の実施例に係る立体映像表示装置の画素（ＰＸ）を拡大して示した図である。
【図５】本発明の他の実施例に係る立体映像表示装置の画素（ＰＸ）を拡大して示した図である。
【図６】図２の立体映像表示装置の一つの画素（ＰＸ）の等価回路図である。
【図７】本発明の他の実施例に係る立体表示装置を概略的に示した平面図である。
【図８】図７の立体映像表示装置の一つの画素（ＰＸ）を拡大して示した図である。
【図９ａ】図７の立体映像表示装置の一つの画素（ＰＸ）の等価回路図である。
【図９ｂ】図７の立体映像表示装置の他の実施例に係る一つの画素（ＰＸ）の等価回路図である。
【図１０ａ】図２の立体映像表示装置におけるフルホワイトパターンを出力した時の輝度分布写真である。
【図１０ｂ】図２の立体映像表示装置におけるフルホワイトパターンを出力した時において、一つの画素においてレンチキュラーレンズを通過する光の輝度分布を示したグラフである。
【図１０ｃ】図２の立体映像表示装置におけるフルホワイトパターンを出力した時において、９個の画素においてレンチキュラーレンズを通過する光の輝度分布を示したグラフである。
【図１１ａ】図３の立体映像表示装置における低階調パターンを出力した時の輝度分布写真である。
【図１１ｂ】図３の立体映像表示装置における低階調パターンを出力した時において、一つの画素においてレンチキュラーレンズを通過する光の輝度分布を示したグラフである。
【図１１ｃ】図３の立体映像表示装置における低階調パターンを出力した時において、９個の画素においてレンチキュラーレンズを通過する光の輝度分布を示したグラフである。
【図１２ａ】図４の立体映像表示装置における低階調パターンを出力した時の輝度分布写真である。
【図１２ｂ】図４の立体映像表示装置における低階調パターンを出力した時において、一つの画素においてレンチキュラーレンズを通過する光の輝度分布を示したグラフである。
【図１２ｃ】図４の立体映像表示装置における低階調パターンを出力した時において、９個の画素においてレンチキュラーレンズを通過する光の輝度分布を示したグラフである。
【図１３ａ】図５の立体映像表示装置における低階調パターンを出力した時の輝度分布写真である。
【図１３ｂ】図５の立体映像表示装置における低階調パターンを出力した時において、一つの画素においてレンチキュラーレンズを通過する光の輝度分布を示したグラフである。
【図１３ｃ】図５の立体映像表示装置における低階調パターンを出力した時において、９個の画素においてレンチキュラーレンズを通過する光の輝度分布を示したグラフである。
【図１４ａ】図７の立体映像表示装置における低階調パターンを出力した時の輝度分布写真である。
【図１４ｂ】図７の立体映像表示装置における低階調パターンを出力した時において、一つの画素においてレンチキュラーレンズを通過する光の輝度分布を示したグラフである。
【図１４ｃ】図７の立体映像表示装置における低階調パターンを出力した時において、個の画素においてレンチキュラーレンズを通過する光の輝度分布を示したグラフである。
【発明を実施するための形態】
【００３３】
添付した図面を参照して、本発明の実施例について本発明が属する技術分野にて通常の知識を有する者が容易に実施できるように詳しく説明する。本発明はの多様な相違した形態に具現されることができ、ここで説明する実施例に限られない。図面においては、本発明を明確に説明するために説明上不要な部分は省略しており、明細書全体を通じて同一または類似な構成要素については同一な図面符号が使用された。また、広く知られている公知技術の場合はその具体的な説明を省略する。
【００３４】
図面においては、多様な層及び領域を明確に表現するために厚さを拡大して示した。明細書全体を通じて類似な部分については同一図面符号を付けた。層、膜、領域、板などの部分が他の部分の“上に”あるという場合、これは他の部分の“直上に”ある場合だけでなく、その中間にまた他の部分がある場合も含む。反対に、ある部分が他の部分の“直上に”あるという場合にはその中間に他の部分がないことを意味する。
【００３５】
それでは、本発明の実施例に係る立体映像表示装置について、図１乃至図９を参照して詳細に説明する。
【００３６】
図１は、本発明の一実施例に係る立体映像表示装置を概略的に示した断面図である。
【００３７】
立体映像表示装置は、表示パネル３００及びレンチキュラー部４００を含む。表示パネル３００から出力された映像は、レンチキュラーレンズ４１０を通過しながら互いに異なる方向（例えば、左眼方向と右眼方向）に各々屈折され、左眼映像と右眼映像が各々左眼と右眼に映られて、最終的に、立体映像として認識される。
【００３８】
図１を参照すれば、表示パネル３００は液晶表示パネルであり、その背面にバックライトユニット２００が位置する。しかし、その他にも有機発光表示パネル、プラズマ表示パネル、電気泳動表示パネルなど多様な方式の表示パネルが用いられることができる。有機発光表示パネルまたはプラズマ表示パネルである場合、バックライトユニットが使用されないこともできる。
【００３９】
表示パネル３００の下部面には下部偏光板１２が位置する。下部偏光板１２の上に、薄膜トランジスターなどが形成されている下部表示板３１０が位置する。上部表示板３２０は下部表示板３１０に対向しており、上部表示板３２０と下部表示板３１０の間に液晶層３３０が位置する。上部表示板３２０の外側には上部偏光板２２が位置する。
【００４０】
表示パネル３００は二つの電極の間で発生する電界によって液晶の配向方向を変更させ、それに応じて光の透過量を調節して映像を表示する。
【００４１】
下部表示板３１０には、ゲート線、データ線、画素電極、及びこれらに連結された薄膜トランジスタが位置する。薄膜トランジスターは、ゲート線及びデータ線に印加される信号に基づいて、画素電極に印加される電圧を制御する。画素電極は、透過領域と反射領域を有する半透過型画素電極から形成されることもできる。また、保持容量キャパシターがさらに形成されることもでき、これは画素電極に印加された電圧が一定の時間の間維持されるようにする。
【００４２】
上部表示板３２０には、ブラックマトリックス、カラーフィルター、及び共通電極が位置することができる。その他にも、ブラックマトリックス、カラーフィルター、及び共通電極のうちの少なくとも一つは上部表示板３２０の代わりに下部表示板３１０に位置することができる。共通電極と画素電極が全て下部表示板３１０に位置する場合には、両電極のうちの少なくとも一つは線状電極形態に形成されることができる。
【００４３】
液晶層３３０は、ＴＮ（Ｔｗｉｓｔｅｄ  ｎｅｍａｔｉｃ）モードの液晶、ＶＡ（ｖｅｒｔｉｃａｌｌｙ  ａｌｉｇｎｅｄ）モードの液晶、ＥＣＢ（Ｅｌｅｃｔｒｉｃａｌｌｙ  ｃｏｎｔｒｏｌｌｅｄ  ｂｉｒｅｆｒｉｎｇｅｎｃｅ）モードの液晶などを含むことができる。
【００４４】
表示板３１０、３３０と偏光板１２、２２の間に補償フィルムがさらに位置することができる。
【００４５】
バックライトユニット２００は光源を含み、光源の例としてはＣＣＦＬなどの蛍光ランプ、ＬＥＤなどが挙げられる。また、バックライトユニット２００は、反射板、導光板、輝度向上フィルムなどをさらに含むことができる。
【００４６】
レンチキュラー部４００は表示パネル３００の上に位置する。レンチキュラー部４００は接着剤などによって表示パネル３００の上に付着されることができる。レンチキュラー部４００はレンチキュラーレンズ４１０を含む。レンチキュラー部４００は、レンチキュラーレンズを保護する保護フィルム４２０、及び表示パネル３００を保護する保護基板４３０をさらに含むことができる。
【００４７】
レンチキュラーレンズ４１０は屈折率等方性を有する物質を含むことができる。レンチキュラーレンズ４１０の断面は円形、楕円形などの形状を有することができる。図１の場合、レンチキュラーレンズ４１０の断面は楕円形の半分の形状を有している。また、レンチキュラーレンズ４１０の屈曲面は、曲面（ｃｙｌｉｎｄｒｉｃａｌ  ｓｕｒｆａｃｅ）と平面（ｆｌａｔ  ｓｕｒｆａｃｅまたはｆａｃｅｔ）を同時に含むハイブリッドレンズも可能である。ここで、各平面は曲面と曲面の間に位置することができる。例えば、平面の個数は立体映像表示装置のビューナンバー（ｖｉｅｗ  ｎｕｍｂｅｒ）と同一であることができ、２、８、９、１２個などが可能である。ここで、ビューナンバーはいくつの画素単位で１つのレンチキュラーレンズが位置しているのかと関わっていて、例えば、９個の画素単位で１つのレンチキュラーレンズが位置する場合のビューナンバーは９である。つまり、ビューナンバーは、１つのレンチキュラーレンズに対応して設けられている行方向の画素の個数であることができる。図２の場合、１つのレンチキュラーレンズ対応して行方向に９個の画素が設けられており、ビューナンバーは９である。そして、例えば、レンチキュラーレンズ４１０の屈曲面の平面の数と画素の数とが同一である場合、各平面と、各画素とが対応するように各平面が設けられる。
【００４８】
表示パネル３００が行列形態に配置されている複数の画素（ＰＸ）を含む場合、レンチキュラーレンズ４１０は、図２に示すように画素（ＰＸ）の列方向に対して予め定められた角度で傾いた形態であることができる。つまり、レンチキュラーレンズ４１０の底面と屈曲面の端部とが交差する線をレンズ軸（Ｌ）とすれば、レンズ軸（Ｌ）は一定の角度で傾くことができる。レンチキュラーレンズ４１０の底面はほぼ平行四辺形であることができる。この平行四辺形は、対向する２つのレンズ軸（Ｌ）と、上辺（Ｌｕ）及び下辺（Ｌｂ）と、を含む。平行四辺形の上辺（Ｌｕ）と下辺（Ｌｂ）はほぼ画素と画素の境界に位置することができ、つまり、上辺（Ｌｕ）及び下辺（Ｌｂ）は、データ線及びゲート線で定義される画素領域に関して、隣接する画素領域の間に位置することができる。また、平行四辺形の左右斜辺の傾きはレンズ軸（Ｌ）の傾きである。レンズ軸（Ｌ）は、画素（ＰＸ）の左上コーナー（ｕｐｐｅｒ  ｌｅｆｔ  ｃｏｒｎｅｒ）から右下コーナー（ｌｏｗｅｒ  ｒｉｇｈｔ  ｃｏｒｎｅｒ）までを連結する線とほぼ平行であることができる。または、レンズ軸（Ｌ）は、画素（ＰＸ）の右上コーナー（ｕｐｐｅｒ  ｒｉｇｈｔ  ｃｏｒｎｅｒ）から左下コーナー（ｌｏｗｅｒ  ｌｅｆｔ  ｃｏｒｎｅｒ）までを連結する線とほぼ平行であることもできる。例えば、レンズ軸（Ｌ）の傾きの絶対値はほぼ３乃至６であることができて、この範囲にある場合、モアレパターンの視認がより減少されることができ、立体表示装置の表示品質がより改善されることができる。ここで、画素（ＰＸ）の上辺（Ｐｕ）または下辺（Ｐｂ）をｘ軸、画素（ＰＸ）の左側辺（Ｐｌ）または右側辺（Ｐｒ）をｙ軸であると仮定する。例えば、ｘ軸はゲート線とほぼ平行であることができ、ｙ軸はデート線とほぼ平行であることができる。
【００４９】
レンチキュラーレンズ４１０の幅は、一定の個数の画素の幅の合計と実質的に同一であることができる。つまり、レンチキュラーレンズ４１０の幅は、１個の画素の幅にビューナンバーをかけた値と実質的に同一であることができる。例えば、図２を参照すれば、立体映像表示装置のビューナンバーは９であり、レンチキュラーレンズ４１０の幅は、９個の画素の幅の合計と実質的に同一であり、レンズ軸（Ｌ）の傾きはほぼ−３であり、レンズ面は９個の平面を含むことができる。また、ビューナンバーは１２であることもでき、その他にもビューナンバーは多様に変形されることができる。ビューナンバーが９である場合、レンチキュラーレンズは９個の画素を覆うように設けられており、ビューナンバーが１２である場合、レンチキュラーレンズは１２個の画素を覆うように設けられている。
【００５０】
図２は、本発明の一実施例に係る立体映像表示装置を概略的に示した平面図である。
【００５１】
１個のレンチキュラーレンズ４１０はほぼ３×９マトリックスの画素（ＰＸ）を覆うように設けられており、このようなレンチキュラーレンズ４１０が反復して位置する。各画素（ＰＸ）は赤色、緑色、及び青色のうちのいずれか一つの色を表現することができる。例えば、一つの画素列は一つの色を表現することができ、赤色画素列、緑色画素列、及び青色画素列が順次に反復して配置されていることができる。その他にも、１個のレンチキュラーレンズ４１０は３×１２マトリックスの画素を覆うように設けられていることができ、ここで、各画素は赤色、緑色、青色、及び白色のうちのいずれか一つの色を表現することができる。
【００５２】
一つの画素（ＰＸ）は二つの副画素（ＰＸａ、ＰＸｂ）を含むことができ、したがって表示パネル３００の側面視認性（例えば、視野角）が改善されることができる。例えば、第１副画素（ＰＸａ）は高諧調値を表現するハイピクセル（ｈｉｇｈ  ｐｉｘｅｌ）であり、第２副画素（ＰＸｂ）は低階調値を表現するローピクセル（ｌｏｗ  ｐｉｘｅｌ）であることができる。二つの副画素（ＰＸａ、ＰＸｂ）は、ほぼ画素（ＰＸ）の右上コーナーと左下コーナーとを連結する線に基づいて分離されていることができる。その他にも、二つの副画素（ＰＸａ、ＰＸｂ）は、ほぼ左上コーナーと右下コーナーとを連結する線に基づいて分離されていることもできる。以下、二つの副画素（ＰＸａ、ＰＸｂ）を分離する際に基礎となる線を副画素基準線（ｓｕｂｐｉｘｅｌ  ｒｅｆｅｒｅｎｃｅ  ｌｉｎｅ）（Ｗ）といい、二つの副画素（ＰＸａ、ＰＸｂ）の境界線を副画素境界線（ｓｕｂｐｉｘｅｌ  ｂｏａｒｄｅｒ  ｌｉｎｅ）（Ｂ）という。図２を参照すれば、副画素基準線（Ｗ）と副画素境界線（Ｂ）は同一でないこともある。副画素境界線（Ｂ）の形状は曲線、屈曲線（図２及び図３を参照）または直線（図４を参照）であることもでき、階段型の線（図５を参照）であることもでき、その他にも副画素境界線（Ｂ）の形状は多様に変形することができる。
【００５３】
レンズ軸（Ｌ）と副画素基準線（Ｗ）はほぼ左右対称関係であることができる。具体的に、レンズ軸（Ｌ）の傾きと副画素基準線（Ｗ）の傾きはその絶対値が実質的に同一であり、その符号は互いに反対であることができる。したがって、レンズ軸（Ｌ）を基準に、一つの画素（ＰＸ）で左右輝度の分布が対称的であることができ、複数の画素における輝度が均一であることができる。結局、モアレパターンの視認が減少されることができ、立体表示装置の表示品質が改善される。例えば、図２を参照すれば、レンズ軸（Ｌ）の傾きはほぼ−３であり、副画素基準線（Ｗ）の傾きはほぼ３であり、レンズ軸（Ｌ）と副画素基準線（Ｗ）はほぼ左右対称関係である。また、図１０ａ乃至図１０ｃを参照すれば、レンズ軸を基準に一つの画素において左右輝度の分布が対称的であり、９個の画素に対して輝度が均一であることが分かる。図１０ａ乃至図１０ｃは、図２の立体映像表示装置におけるフルホワイトパターンを出力した時の輝度分布写真及び輝度分布グラフである。図１０ａの輝度分布（Pixel Lum distribution）写真において、１つの画素での輝度分布が示されており、横軸はゲート線と平行なＸ軸方向の画素の距離（ｎｍ）であり、縦軸はデータ線と平行なＹ軸方向の画素の距離（ｎｍ）であり、明るい部分は高諧調を示すものである。図１０ｂは、一つの画素においてレンチキュラーレンズを通過する光の輝度分布を、レンズ軸（Ｌ）からの距離毎に平均した値（Average along lens axis）を示したグラフであり、横軸はレンズ軸（Ｌ）を中心、つまり、レンズ軸（Ｌ）の位置を０とした場合のＸ軸方向の距離を示しており、縦軸は相対輝度（relative luminance）を示している。図１０ｃは、９個の画素においてレンチキュラーレンズを通過する光の輝度分布を示したグラフであり、横軸は９個の画素のうちＸ軸方向の中心を０とした場合のＸ軸方向の距離（position at pixel plane）を示しており、縦軸は相対の明るさ（relative brightness）を示している。
【００５４】
または、レンズ軸（Ｌ）によって分けられる第１副画素（ＰＸａ）の左右両方の部分の面積は実質的に同一であることができ、レンズ軸（Ｌ）によって分けられる第２副画素（ＰＸｂ）の左右両方の部分の面積は実質的に同一であることができる。したがって、レンズ軸（Ｌ）を基準に一つの画素（ＰＸ）において左右輝度の分布が対称的であることができ、複数の画素における輝度が均一であることができる。結局、モアレパターンの視認が減少されることができ、立体表示装置の表示品質が改善される。
反面、レンズ軸によって分けられる副画素の左右両方の部分の面積が実質的に同一でない従来の立体表示装置の場合、レンズ軸を基準に一つの画素において左右輝度の分布が非対称であるため、モアレパターンが視認される恐れがある。
【００５５】
一つの画素（ＰＸ）の上辺（Ｐｕ）と下辺（Ｐｂ）には、ほぼ平行四辺形の形態にブラックマトリックス２２０が位置することができる。その他にもブラックマトリックス２２０の形態は多様に変形されることができる。ブラックマトリックス２２０の上辺と下辺はレンチキュラーレンズ４１０の軸（Ｌ）にほぼ垂直方向であることができる。したがって、レンチキュラーレンズ４１０を通してブラックマトリックス２２０が視認されるのが防止され、モアレパターンの視認がより減少されることができる。
【００５６】
図３は、図２の立体映像表示装置の一つの画素（ＰＸ）を拡大して示した図であり、図６は、図２の立体映像表示装置の一つの画素（ＰＸ）の等価回路図である。
第１副画素（ＰＸａ）と第２副画素（ＰＸｂ）は、各々枝形状の画素電極１９１ｍ、１９１ｎ、１９１ｏ、１９１ｐ、１９１ｑ、１９１ｒを含むことができる。第１副画素（ＰＸａ）は、ほぼ水平の方向（Ｘ軸方向）の水平枝電極１９１ｍ及びほぼ垂直方向（Ｙ軸方向）の垂直枝電極１９１ｎを含む。また、第１副画素（ＰＸａ）は、水平枝電極１９１ｍと、垂直枝電極１９１ｎから右上方向に延びている右上枝電極１９１ｏ、左上方向に延びている左上枝電極１９１ｐ、左下方向に延びている左下枝電極１９１ｑ、及び右下方向に延びている右下枝電極１９１ｒを含む。したがって、第１副画素（ＰＸａ）は、水平枝電極１９１ｍと垂直枝電極１９１ｎを基準に、右上ドメイン、左上ドメイン、左下ドメイン、及び右下ドメインの４個のドメインが位置し、４個のドメインにおいて液晶の方向は互いに異なり、表示パネル３００の視野角が広くなることができる。右上ドメインに位置している右上枝電極１９１ｏは複数が位置し、複数の右上枝電極１９１ｏはほぼ互いに平行であることができ、複数の右上枝電極１９１ｏの垂直枝電極１９１ｎと接続されている端部とは異なる端部を互いに連結する連結枝電極（図示せず）もさらに位置することができる。同様に、複数の左上枝電極１９１ｐはほぼ互いに平行であることができ、複数の右上枝電極１９１ｐの垂直枝電極１９１ｎと接続されている端部とは異なる端部を互いに連結する連結枝電極（図示せず）がさらに位置することができ、複数の左下枝電極１９１ｑはほぼ互いに平行であることができ、複数の左下枝電極１９１ｑの垂直枝電極１９１ｎと接続されている端部とは異なる端部を互いに連結する連結枝電極（図示せず）がさらに位置されることができ、複数の右下枝電極１９１ｒはほぼ互いに平行であることができ、複数の右下枝電極１９１ｒの垂直枝電極１９１ｎと接続されている端部とは異なる端部を互いに連結する連結枝電極（図示せず）がさらに位置されることができる。
【００５７】
第２副画素（ＰＸｂ）は第１副画素（ＰＸａ）と同様に、水平枝電極、垂直枝電極、右上枝電極、左上枝電極、左下枝電極、及び右下枝電極を含むことができ、これによって、右上ドメイン、左上ドメイン、左下ドメイン、及び右下ドメインの４個のドメインが位置することができ、表示パネル３００の視野角が広くなることができる。また、上記と同様に各枝電極に対して連結枝電極（図示せず）がさらに位置することもできる。ドメインの個数は４個に限定されず、１個以上であることができる。
【００５８】
図３及び図６を参照すれば、画素（ＰＸ）の上端部と下端部にほぼ三角形のブラックマトリックス２２０が位置することができ、ブラックマトリックス２２０と重複する位置に薄膜トランジスター（Ｑａ、Ｑｂ）、維持電極（Ｃｓｔａ、Ｃｓｔｂ）、接触孔（図示せず）などが位置することができる。図３〜図６において、画素の上端部に位置するブラックマトリックス２００を第１ブラックマトリックスとし、画素の下端部に位置するブラックマトリックス２００を第２ブラックマトリックスとする。第１副画素（ＰＸａ）には第１スイッチング素子（Ｑａ）が含まれ、第１スイッチング素子（Ｑａ）は第１ブラックマトリックスと重複する。一方、第２副画素（ＰＸｂ）には第２スイッチング素子（Ｑｂ）が含まれ、第２スイッチング素子（Ｑｂ）は第２ブラックマトリックスと重複する。
【００５９】
さらに、好ましくは、第１副画素（ＰＸａ）は第１ストレージキャパシター（Ｃｓｔａ）を含み、第１ストレージキャパシター（Ｃｓｔａ）は第１ブラックマトリックスと重複し、第２副画素（ＰＸｂ）は第２ストレージキャパシター（Ｃｓｔｂ）を含み、第２ストレージキャパシター（Ｃｓｔｂ）は第２ブラックマトリックスと重複する。
【００６０】
図３を参照すれば、第１副画素（ＰＸａ）において、レンズ軸（Ｌ）の左側に位置した部分とレンズ軸（Ｌ）の右側に位置した部分の面積は実質的に互いに同一であるか、または副画素基準線（Ｗ）はレンズ軸（Ｌ）とほぼ左右対称の関係にあるので、レンズ軸（Ｌ）を基準に左右の輝度分布が対称であることができ、複数の画素における輝度が均一になることができ、モアレパターンの視認が減少されることができる。
【００６１】
また、図１１ａ乃至図１１ｃを参照すれば、レンズ軸を基準に一つの画素における左右輝度の分布が対称的であり、９個の画素に対して輝度が均一であることが分かる。図１１ａ乃至図１１ｃは、図３の立体映像表示装置における低階調パターンを出力した時の輝度分布写真及び輝度分布グラフであり、縦軸及び横軸は図１０ａ乃至図１０ｃと同様である。図１１ａの輝度分布写真において、明るい部分は高諧調を示すものである。図１１ｂは、一つの画素においてレンチキュラーレンズを通過する光の輝度分布を示したグラフであり、図１１ｃは、９個の画素においてレンチキュラーレンズを通過する光の輝度分布を示したグラフである。
【００６２】
第２副画素（ＰＸｂ）も第１副画素（ＰＸａ）と同様に、レンズ軸（Ｌ）の左側に位置した部分とレンズ軸（Ｌ）の右側に位置した部分の面積は実質的に互いに同一であるか、または副画素基準線（Ｗ）はレンズ軸（Ｌ）とほぼ左右対称の関係にあることができる。
【００６３】
副画素境界線（Ｂ）は屈曲線であり、屈曲点は副画素基準線（Ｗ）の上側に位置する。また、屈曲点はレンズ軸（Ｌ）の上に位置することができる。副画素境界線（Ｂ）は第１副画素（ＰＸａ）の面積と第２副画素（ＰＸｂ）の面積をほぼ１：２で分けることができ、したがって、表示パネル３００の側面視認性が向上することができる。
【００６４】
図４は、本発明の他の実施例に係る立体映像表示装置の画素（ＰＸ）を拡大して示した図である。
【００６５】
図４を参照すれば、副画素境界線（Ｂ）と副画素基準線（Ｗ）がほぼ一致することができ、副画素基準線（Ｗ）は直線型であることができる。副画素（ＰＸａ、ＰＸｂ）において、レンズ軸（Ｌ）の左側に位置した部分とレンズ軸（Ｌ）の右側に位置した部分の面積は実質的に互いに同一であるか、または副画素基準線（Ｗ）はレンズ軸（Ｌ）とほぼ左右対称の関係にあるので、レンズ軸（Ｌ）を基準に左右の輝度分布が対称であることもでき、複数の画素における輝度が均一であることができ、モアレパターンの視認が減少することができる。
【００６６】
また、図１２ａ乃至図１２ｃを参照すれば、レンズ軸を基準に一つの画素において左右輝度の分布が対称的であり、９個の画素に対して輝度が均一であることが分かる。図１２ａ乃至図１２ｃは、図４の立体映像表示装置における低階調パターンを出力した時の輝度分布写真及び輝度分布グラフであり、縦軸及び横軸は図１０ａ乃至図１０ｃと同様である。図１２ａの輝度分布写真において、明るい部分は高諧調を示すものである。図１２ｂは、一つの画素においてレンチキュラーレンズを通過する光の輝度分布を示したグラフであり、図１２ｃは、９個の画素においてレンチキュラーレンズを通過する光の輝度分布を示したグラフである。
【００６７】
副画素境界線（Ｂ）は第１副画素（ＰＸａ）の面積と第２副画素（ＰＸｂ）の面積をほぼ１：１に分けることができ、したがって、表示パネル３００の側面視認性が向上することができる。
【００６８】
その他にも、第１副画素（ＰＸａ）の面積と第２副画素（ＰＸｂ）の面積の比はほぼ１：０.５乃至１：３になることができる。この場合、副画素境界線（Ｂ）は屈曲点を有する屈曲線であることができ、レンズ軸（Ｌ）の上に位置することができる。第２副画素（ＰＸｂ）の面積が第１副画素（ＰＸａ）の面積より大きくなるほど表示パネル３００の側面視認性が改善されることができ、第１副画素（ＰＸａ）の面積が第２副画素（ＰＸｂ）の面積より大きくなるほど表示パネル３００の輝度が向上することができる。したがって、第１副画素（ＰＸａ）の面積と第２副画素（ＰＸｂ）の面積の比がほぼ１：０.５より小さい場合、輝度は改善されるが、側面視認性が低下する恐れがあり、第１副画素（ＰＸａ）の面積と第２副画素（ＰＸｂ）の面積の比がほぼ１：３より小さい場合、側面視認性は改善されるが輝度が低下する恐れがある。
【００６９】
副画素（ＰＸａ、ＰＸｂ）は、各々水平枝電極、垂直枝電極、右上枝電極、左上枝電極、左下枝電極、及び右下枝電極を含むことができ、これによって、右上ドメイン、左上ドメイン、左下ドメイン、及び右下ドメインの４個のドメインが位置することができ、表示パネル３００の視野角が広くなることができる。また、連結枝電極（図示せず）がさらに位置することもできる。
【００７０】
図５は、本発明の他の実施例に係る立体映像表示装置の画素（ＰＸ）を拡大して示した図である。
【００７１】
図５を参照すれば、副画素境界線（Ｂ）は階段型であることができる。副画素（ＰＸａ、ＰＸｂ）においてレンズ軸（Ｌ）の左側に位置した部分とレンズ軸（Ｌ）の右側に位置した部分の面積は実質的に互いに同一であるか、または副画素基準線（Ｗ）はレンズ軸（Ｌ）とほぼ左右対称の関係にあるので、レンズ軸（Ｌ）を基準に左右の輝度分布が対称であることもでき、複数の画素における輝度が均一であることができ、モアレパターンの視認が減少することができる。
【００７２】
また、図１３ａ乃至図１３ｃを参照すれば、レンズ軸を基準に一つの画素において左右輝度の分布が対称的であり、９個の画素に対して輝度が均一であることが分かる。図１３ａ乃至図１３ｃは、図５の立体映像表示装置における低階調パターンを出力した時の輝度分布写真及び輝度分布グラフであり、縦軸及び横軸は図１０ａ乃至図１０ｃと同様である。図１３ａの輝度分布写真において、明るい部分は高諧調を示すものである。図１３ｂは、一つの画素においてレンチキュラーレンズを通過する光の輝度分布を示したグラフであり、図１３ｃは、９個の画素においてレンチキュラーレンズを通過する光の輝度分布を示したグラフである。
【００７３】
副画素境界線（Ｂ）は、第１副画素（ＰＸａ）の面積と第２副画素（ＰＸｂ）の面積をほぼ１：１に分けることができ、したがって、表示パネル３００の側面視認性が向上することができる。
【００７４】
副画素（ＰＸａ、ＰＸｂ）は、各々、水平枝電極、垂直枝電極、右上枝電極、左上枝電極、左下枝電極、及び右下枝電極を含むことができ、これによって、右上ドメイン、左上ドメイン、左下ドメイン、及び右下ドメインの４個のドメインが位置することができ、表示パネル３００の視野角が広くなることができる。また、連結枝電極（図示せず）がさらに位置することもできる。
【００７５】
図６に示されている画素（ＰＸ）の等価回路図は図１乃至図５の立体映像表示装置に適用されることができる。
【００７６】
図６を参照すれば、一対のゲート線（ＧＬａ、ＧＬｂ）が行方向に延びており、データ線（ＤＬ）が列方向に延びており、複数の維持電極では（ＳＬ）が行方向に延びている。
【００７７】
画素（ＰＸ）は一対の副画素（ＰＸａ、ＰＸｂ）を含み、副画素（ＰＸａ、ＰＸｂ）は、スイッチング素子（Ｑａ、Ｑｂ）と液晶キャパシター（Ｃｌｃａ、Ｃｌｃｂ）、及びストレージキャパシター（ｓｔｏｒａｇｅ  ｃａｐａｃｉｔｏｒ）（Ｃｓｔａ、Ｃｓｔｂ）を含む。
【００７８】
スイッチング素子（Ｑａ、Ｑｂ）は表示パネル３００に備えられている薄膜トランジスターであって、制御端子はゲート線（ＧＬａ、ＧＬｂ）に連結されており、入力端子はデータ線（ＤＬ）に連結されており、出力端子は液晶キャパシター（Ｃｌｃａ、Ｃｌｃｂ）及びストレージキャパシター（Ｃｓｔａ、Ｃｓｔｂ）に連結されている。
【００７９】
液晶キャパシター（Ｃｌｃａ、Ｃｌｃｂ）は、画素電極１９１ｍ、１９１ｎ、１９１ｏ、１９１ｐ、１９１ｑ、１９１ｒと共通電極（図示せず）を二つの端子にし、二つの端子の間の液晶層（図示せず）部分を誘電体にして形成される。共通電極には共通電圧（Ｖｃｏｍ）が印加されることができる。
【００８０】
液晶キャパシター（Ｃｌｃａ、Ｃｌｃｂ）の補助的な役割を果たすストレージキャパシター（Ｃｓｔａ、Ｃｓｔｂ）は、維持電極線（ＳＬ）と画素電極１９１ｍ、１９１ｎ、１９１ｏ、１９１ｐ、１９１ｑ、１９１ｒとが絶縁体を間において重複しており、維持電極線（ＳＬ）には共通電圧（Ｖｃｏｍ）などの定められた電圧が印加される。
【００８１】
図７は、本発明の他の実施例に係る立体表示装置を概略的に示した平面図である。
【００８２】
１個のレンチキュラーレンズ４１０はほぼ３×９マトリックスの画素（ＰＸ）を覆うように設けられており、このようなレンチキュラーレンズ４１０が反復して位置する。各画素（ＰＸ）は赤色、緑色、及び青色のうちのいずれか一つの色を表現することができる。例えば、一つの画素列は一つの色を表現することができ、赤色画素列、緑色画素列、及び青色画素列が順次に反復して配置されていることができる。その他にも、１個のレンチキュラーレンズ４１０は３×１２マトリックスの画素を覆うように設けられていることができ、ここで、各画素は赤色、緑色、青色、及び白色のうちのいずれか一つの色を表現することができる。
【００８３】
一つの画素（ＰＸ）は、副画素境界線（Ｂ）により分割される二つの副画素（ＰＸａ、ＰＸｂ）を含むことができ、したがって表示パネル３００の側面視認性が改善されることができる。例えば、第１副画素（ＰＸａ）は高諧調を表現するハイピクセル（ｈｉｇｈ  ｐｉｘｅｌ）であることができ、第２副画素（ＰＸｂ）は低階調を表現するローピクセル（ｌｏｗ  ｐｉｘｅｌ）であることができる。
【００８４】
副画素境界線（Ｂ）はレンズ軸（Ｌ）にほぼ平行な部分を有することができ、レンズ軸（Ｌ）を基準に一つの画素（ＰＸ）において左右輝度の分布が対称的であることもでき、複数の画素における輝度が均一であることができる。結局、モアレパターンの視認が減少することができ、立体表示装置の表示品質が改善されることができる。
【００８５】
また、図１４ａ乃至図１４ｃを参照すれば、レンズ軸を基準に一つの画素において左右輝度の分布が対称的であり、９個の画素に対して輝度が均一であることが分かる。図１４ａ乃至図１４ｃは、図７の立体映像表示装置における低階調パターンを出力した時の輝度分布写真及び輝度分布グラフであり、縦軸及び横軸は図１０ａ乃至図１０ｃと同様である。図１４ａの輝度分布写真において、明るい部分は高諧調を示すものである。図１４ｂは、一つの画素においてレンチキュラーレンズを通過する光の輝度分布を示したグラフであり、図１４ｃは、９個の画素においてレンチキュラーレンズを通過する光の輝度分布を示したグラフである。
【００８６】
第１副画素（ＰＸａ）は、２個の直角三角形が互いに合わせられた概ね砂時計（ｈｏｕｒｇｌａｓｓ）形状であり、画素（ＰＸ）の左下コーナーと右上コーナーに各々位置する。具体的には、第１副画素（ＰＸａ）の上部に位置する直角三角形は、一番短い辺がゲート線に平行なＸ軸方向に位置するように配置され、一番短い辺と直交する辺が副画素境界線（Ｂ）に沿うように配置され、斜め方向の辺が第１副画素ＰＸａに沿うように配置される。第１副画素（ＰＸａ）の下部に位置する直角三角形は、一番短い辺がゲート線に平行なＸ軸方向に位置するように配置され、斜め方向の辺が副画素境界線（Ｂ）に沿うように配置され、一番短い辺と直交する辺が第１副画素ＰＸａに沿うように配置される。
【００８７】
この時、左下コーナーに位置する直角三角形の高さと左上コーナーに位置する直角三角形の高さの比はほぼ２：１であることができる。つまり、砂時計の下部と上部の長さの比はほぼ２：１であることができる。
【００８８】
一つの画素（ＰＸ）の上辺と下辺には、図８に示すようにほぼ行方向に延びているブラックマトリックス２２０が位置することができる。その他にもブラックマトリックス２２０の形態は多様に変形されることができる。
【００８９】
図８は、図７の立体映像表示装置の一つの画素（ＰＸ）を拡大して示した図であり、図９ａは、図７の立体映像表示装置の一つの画素（ＰＸ）の等価回路図である。
【００９０】
第２副画素（ＰＸｂ）は、各々、水平枝電極、垂直枝電極、右上枝電極、左上枝電極、左下枝電極、及び右下枝電極を含むことができ、これによって、右上ドメイン、左上ドメイン、左下ドメイン、及び右下ドメインの４個のドメインが位置することができる。第１副画素（ＰＸａ）は、左上コーナーに位置する直角三角形の部分に一対の水平枝電極と垂直枝電極が位置することができ、左下コーナーに位置する直角三角形の部分に一対の水平枝電極と垂直枝電極が位置することができる。また、第１副画素（ＰＸａ）は、各々、水平枝電極、垂直枝電極、右上枝電極、左上枝電極、左下枝電極、及び右下枝電極を含むことができる。したがって、表示パネル３００の視野角が広くなることができる。また、副画素（ＰＸａ、Ｐｘｂ）は連結枝電極（図示せず）をさらに含むこともできる。
【００９１】
図８及び図９ａを参照すれば、画素（ＰＸ）の上端部と下端部にほぼ行方向に延びているブラックマトリックス２２０が位置することができ、ブラックマトリックス２２０と重複する位置に薄膜トランジスター（Ｑａ、Ｑｂ、Ｑｃ）、維持電極（Ｃｓｔａ、Ｃｓｔｂ）、接触孔（図示せず）などが位置することができる。
【００９２】
図９ａを参照すれば、ゲート線（ＧＬ）が行方向に延びており、データ線（ＤＬ）が列方向に延びており、複数の維持電極線（ＳＬ）が行方向に延びている。
【００９３】
画素（ＰＸ）は一対の副画素（ＰＸａ、ＰＸｂ）を含み、副画素（ＰＸａ、ＰＸｂ）は、スイッチング素子（Ｑａ、Ｑｂ、Ｑｃ）と液晶キャパシター（Ｃｌｃａ、Ｃｌｃｂ）、及びダウンキャパシター（ｄｏｗｎ  ｃａｐａｃｉｔｏｒ）（Ｃｄｏｗｎ）を含む。
【００９４】
第１スイッチング素子（Ｑａ）及び第２スイッチング素子（Ｑｂ）は表示パネル３００に備えられている薄膜トランジスターであって、制御端子はゲート線（ＧＬ）に連結されており、入力端子はデータ線（ＤＬ）に連結されており、出力端子は液晶キャパシター（Ｃｌｃａ、Ｃｌｃｂ）に連結されている。
【００９５】
第３スイッチング素子（Ｑｃ）の制御端子と出力端子は各々ダウンキャパシター（Ｃｄｏｗｎ）の両端に連結されており、入力端子は液晶キャパシター（Ｃｌｃｂ）に連結されている。
【００９６】
液晶キャパシター（Ｃｌｃａ、Ｃｌｃｂ）は、画素電極１９１ｍ、１９１ｎ、１９１ｏ、１９１ｐ、１９１ｑ、１９１ｒと共通電極（図示せず）を二つの端子にし、二つの端子の間の液晶層（図示せず）部分を誘電体にして形成される。共通電極には共通電圧（Ｖｃｏｍ）が印加されることができる。
【００９７】
正極性のデータ電圧がデータ線（ＤＬ）に印加される時、液晶キャパシター（Ｃｌｃｂ）とダウンキャパシター（Ｃｄｏｗｎ）の大きさに応じた電圧分配が行われて、第２スイッチング素子（Ｑｂ）の出力端子の電圧が第３スイッチング素子（Ｑｃ）の出力端子の電圧と同一になるように分配され、第１スイッチング素子（Ｑａ）の出力端子の電圧はそのままデータ電圧に維持される。したがって、第２副画素（ＰＸｂ）に印加される電圧の大きさは第１副画素（ＰＸａ）に印加される電圧の大きさより小さくなる。結局、正極性電圧が印加される場合、第１副画素（ＰＸａ）は高（ｈｉｇｈ）領域になり、第２副画素（ＰＸｂ）は低（ｌｏｗ）領域になる。
【００９８】
図９ｂは、図７の立体映像表示装置の他の実施例に係る一つの画素（ＰＸ）の等価回路図である。前述の図７及び図８に対する説明は図９ｂの説明に適用されることができる。
【００９９】
図９ｂを参照すれば、一つの画素（ＰＸ）は一対の副画素（ＰＸａ、ＰＸｂ）を含む。第１副画素（ＰＸａ）は、ゲート線（ＧＬ）及び第１データ線（ＤＬａ）に連結されている第１スイッチング素子（Ｑａ）を含み、第１スイッチング素子（Ｑａ）に連結されている第１液晶キャパシター（Ｃｌｃａ）を含む。同時に、第１副画素（ＰＸａ）は、選択的に維持電極線（ＳＬ）に連結されている第１ストレージキャパシター（Ｃｓｔａ）をさらに含むことができる。第２副画素（ＰＸｂ）はゲート線（ＧＬ）及び第２データ線（ＤＬｂ）に連結されている第２スイッチング素子（Ｑｂ）を含み、第２スイッチング素子（Ｑｂ）に連結されている第２液晶キャパシター（Ｃｌｃｂ）を含む。同時に、第２副画素（ＰＸｂ）は、選択的に維持電極線（ＳＬ）に連結されている第２ストレージキャパシター（Ｃｓｔｂ）をさらに含むことができる。
【０１００】
以上で、本発明の望ましい実施例について詳細に説明したが、本発明の権利範囲はこれに限定されるわけではなく、特許請求の範囲で定義している本発明の基本概念を利用した当業者の多様な変形及び改良形態もまた本発明の権利範囲に属する。
【符号の説明】
【０１０１】
ＰＸａ  第１副画素
ＰＸｂ  第２副画素
１２  下部偏光板
２２  上部偏光板
１９１ｍ、１９１ｎ、１９１ｏ、１９１ｐ、１９１ｑ、１９１ｒ  画素電極
２００  バックライトユニット
２２０  ブラックマトリックス
３００  表示パネル
３１０  下部表示板
３２０  上部表示板
４００  レンチキュラー部
４１０  レンチキュラーレンズ
４２０  保護フィルム
４３０  保護基板
【図１】
0005632763.tif 000002
【図２】
0005632763.tif 000003
【図３】
0005632763.tif 000004
【図４】
0005632763.tif 000005
【図５】
0005632763.tif 000006
【図６】
0005632763.tif 000007
【図７】
0005632763.tif 000008
【図８】
0005632763.tif 000009
【図９ａ】
0005632763.tif 000010
【図９ｂ】
0005632763.tif 000011
【図１０ａ】
0005632763.tif 000012
【図１０ｂ】
0005632763.tif 000013
【図１０ｃ】
0005632763.tif 000014
【図１１ａ】
0005632763.tif 000015
【図１１ｂ】
0005632763.tif 000016
【図１１ｃ】
0005632763.tif 000017
【図１２ａ】
0005632763.tif 000018
【図１２ｂ】
0005632763.tif 000019
【図１２ｃ】
0005632763.tif 000020
【図１３ａ】
0005632763.tif 000021
【図１３ｂ】
0005632763.tif 000022
【図１３ｃ】
0005632763.tif 000023
【図１４ａ】
0005632763.tif 000024
【図１４ｂ】
0005632763.tif 000025
【図１４ｃ】
0005632763.tif 000026